(57)【要約】【課題】間仕切パネルがレールの吊支点を中心として揺動しても直ぐに治めることができ、作業者が間仕切パネルをスムーズに移動させることができる移動間仕切装置を提供すること。【解決手段】天井３に架設されたレール４に吊支され、かつレール４によって形成された移動経路に沿って移動する複数枚の間仕切パネル２により室内を仕切るようにした移動間仕切装置１において、各間仕切パネル２におけるパネル本体５を、このパネル本体５の上端と天井３との間の間隙αよりもこのパネル本体５の下端と床８との間の間隙βが広くなるようにレール４に吊支し、間仕切パネル２を固定するときには、上部塞ぎ部材６を上方向に進出させることにより天井３との間隙αを閉塞するとともに、下部塞ぎ部材７を下方向に進出させることにより床８との間隙βを閉塞するようにした。【選択図】図３
2009108662.tif 000002
【特許請求の範囲】
【請求項１】
天井に架設されたレールに吊支され、かつ前記レールによって形成された移動経路に沿って移動する複数枚の間仕切パネルにより室内を仕切るようにした移動間仕切装置において、
前記各間仕切パネルにおけるパネル本体を、該パネル本体の上端と天井との間の間隙よりも該パネル本体の下端と床との間の間隙が広くなるように前記レールに吊支し、前記間仕切パネルを固定するときには、上部塞ぎ部材を上方向に進出させることにより前記天井との間隙を閉塞するとともに、下部塞ぎ部材を下方向に進出させることにより前記床との間隙を閉塞するようにしたことを特徴とする移動間仕切装置。
【請求項２】
前記間仕切パネルが移動可能な吊支状態で、前記下部塞ぎ部材の下端が前記パネル本体の下端より下方に突出していることを特徴とする請求項１に記載の移動間仕切装置。
【請求項３】
前記上部及び下部塞ぎ部材が、同形の部材を用いて形成されていることを特徴とする請求項１または２に記載の移動間仕切装置。
【請求項４】
前記パネル本体には、前記間仕切パネルが移動可能な吊支状態のときに、前記下部塞ぎ部材を上昇可能に収納する収納許容部が設けられていることを特徴とする請求項１ないし３のいずれかに記載の移動間仕切装置。
【請求項５】
前記移動間仕切装置の前記パネル本体の下端と前記床との間隙寸法と、該移動間仕切装置と近接する壁面パネルの下部框の上下幅寸法と、を同一寸法として形成することを特徴とする請求項１ないし４のいずれかに記載の移動間仕切装置。
【請求項６】
少なくとも前記下部塞ぎ部材には、遮音性を有する遮音部材が設けられていることを特徴とする請求項１ないし５のいずれかに記載の移動間仕切装置。
【発明の詳細な説明】
【技術分野】
【０００１】
本発明は、宴会場や多目的ホール等の空間を仕切る移動間仕切装置に関する。
【背景技術】
【０００２】
従来、移動間仕切装置には、複数の間仕切パネルにおけるパネル本体を、天井に架設されたレールに吊支するとともに、パネル本体の上下端より上下方向に進出することにより、パネル本体の上下端と天井及び床との間隙を閉塞する上下部塞ぎ部材を設けるようにしたものがあり、このような移動間仕切装置では、上下部塞ぎ部材をパネル本体に支持させるために同一構成の支持手段を用いているため、パネル本体の上端と天井との間の間隙と、パネル本体の下端と床との間の間隙と、をほぼ等距離に構成している（例えば、特許文献１参照）。
【０００３】
【特許文献１】特開２００２−１５５６７６号公報（第３頁、第１〜６図）
【発明の開示】
【発明が解決しようとする課題】
【０００４】
しかしながら、特許文献１に記載の移動間仕切装置にあっては、間仕切パネルを天井のレールに沿って移動させる際に、間仕切パネルを移動させる作業者の爪先などがパネル本体の下端に当たり、間仕切パネルがレールの吊支点を中心として前後方向に揺動する場合があり、間仕切パネルが揺動し始めると、一旦、間仕切パネルの移動を中止して揺動を治める必要があり、作業者が間仕切パネルをスムーズに移動できなくなるという問題がある。
【０００５】
本発明は、このような問題点に着目してなされたもので、間仕切パネルがレールの吊支点を中心として揺動しても直ぐに治めることができ、作業者が間仕切パネルをスムーズに移動させることができる移動間仕切装置を提供することを目的とする。
【課題を解決するための手段】
【０００６】
前記課題を解決するために、本発明の請求項１に記載の移動間仕切装置は、
天井に架設されたレールに吊支され、かつ前記レールによって形成された移動経路に沿って移動する複数枚の間仕切パネルにより室内を仕切るようにした移動間仕切装置において、
前記各間仕切パネルにおけるパネル本体を、該パネル本体の上端と天井との間の間隙よりも該パネル本体の下端と床との間の間隙が広くなるように前記レールに吊支し、前記間仕切パネルを固定するときには、上部塞ぎ部材を上方向に進出させることにより前記天井との間隙を閉塞するとともに、下部塞ぎ部材を下方向に進出させることにより前記床との間隙を閉塞するようにしたことを特徴としている。
この特徴によれば、パネル本体の下端と床との間隙が広くなるため、間仕切パネルを移動させる際に、パネル本体の下端が作業者の爪先や床に配置される障害物等に当たり難くなるばかりか、間仕切パネルの重量の大部分を占めるパネル本体の重心位置を上方にずらして配置でき、間仕切パネルの重心位置が高くなれば、間仕切パネルがレールの吊支点を中心として揺動し始めても、その揺動を直ぐに治められるようになり、作業者が間仕切パネルをスムーズに移動させることができる。
【０００７】
本発明の請求項２に記載の移動間仕切装置は、請求項１に記載の移動間仕切装置であって、
前記間仕切パネルが移動可能な吊支状態で、前記下部塞ぎ部材の下端が前記パネル本体の下端より下方に突出していることを特徴としている。
この特徴によれば、作業者の爪先や床に配置される障害物等が間仕切パネルに当たるような場合では、爪先や障害物等が最初に下部塞ぎ部材に当たるようになり、下部塞ぎ部材によってパネル本体が保護されてパネル本体に疵が付き難くなる。
【０００８】
本発明の請求項３に記載の移動間仕切装置は、請求項１または２に記載の移動間仕切装置であって、
前記上部及び下部塞ぎ部材が、同形の部材を用いて形成されていることを特徴としている。
この特徴によれば、共通部品を使用して上部及び下部塞ぎ部材を低コストで製作できるとともに、上部及び下部塞ぎ部材の上下幅寸法が同一となり間仕切パネルの製作を容易に行える。
【０００９】
本発明の請求項４に記載の移動間仕切装置は、請求項１ないし３のいずれかに記載の移動間仕切装置であって、
前記パネル本体には、前記間仕切パネルが移動可能な吊支状態のときに、前記下部塞ぎ部材を上昇可能に収納する収納許容部が設けられていることを特徴としている。
この特徴によれば、間仕切パネルの移動時において、作業者の爪先や床に配置される障害物等に下部塞ぎ部材が当たっても、下部塞ぎ部材が上昇されて障害物を乗り越えられるばかりか、下部塞ぎ部材に障害物が当たったときの衝撃力が収納許容部によって緩衝されるようになり、衝撃力が加わることで生じる間仕切パネルの揺動が防止される。
【００１０】
本発明の請求項５に記載の移動間仕切装置は、請求項１ないし４のいずれかに記載の移動間仕切装置であって、
前記移動間仕切装置の前記パネル本体の下端と前記床との間隙寸法と、該移動間仕切装置と近接する壁面パネルの下部框の上下幅寸法と、を同一寸法として形成することを特徴としている。
この特徴によれば、下部塞ぎ部材によって床との間隙を閉塞したときに、移動間仕切装置の下部塞ぎ部材の露出部位が、壁面パネルの下部框と一体的に見栄え良く配置されるようになる。
【００１１】
本発明の請求項６に記載の移動間仕切装置は、請求項１ないし５のいずれかに記載の移動間仕切装置であって、
少なくとも前記下部塞ぎ部材には、遮音性を有する遮音部材が設けられていることを特徴としている。
この特徴によれば、パネル本体の下端と床との間の間隙が広くても、その間隙が下部塞ぎ部材によって遮音されるようになり、間仕切パネルによって仕切られた室内空間同士が互いに音漏れし難くなる。
【発明を実施するための最良の形態】
【００１２】
本発明に係る移動間仕切装置を実施するための最良の形態を実施例に基づいて以下に説明する。
【実施例１】
【００１３】
本発明の実施例を図面に基づいて説明すると、先ず図１は、実施例１における移動間仕切装置の全体像を示す正面図であり、図２は、間仕切パネルを示す横断平面図であり、図３は、間仕切パネルを示す縦断側面図であり、図４は、吊支状態の間仕切パネルを示す正面図であり、図５は、固定状態の間仕切パネルを示す正面図であり、図６（ａ）は、上部塞ぎ部材の支持手段を示す拡大部分正面図であり、図６（ｂ）は、下部塞ぎ部材の支持手段を示す拡大部分正面図であり、図７は、間仕切パネル及び壁面パネルを示す斜視図である。以下、図２の紙面下方側を間仕切パネルの正面側（前方側）とし、図３の紙面左方側を間仕切パネルの正面側（前方側）として説明する。
【００１４】
図１の符号１は、本発明の適用された移動間仕切装置である。この移動間仕切装置１は、宴会場や多目的ホール等の室内空間を複数枚の移動式の間仕切パネル２を用いて仕切ることができる。間仕切パネル２は、室内空間の天井３に架設されたレール４に吊支されており、レール４によって形成されて移動経路に沿って、順次間仕切位置に移動させられることにより、室内が仕切られる。尚、間仕切パネル２の移動は作業者が手作業にて行うようになっている。
【００１５】
図１に示すように、それぞれの間仕切パネル２には、パネル本体５の上端と天井３との間の間隙αを塞ぐ上部塞ぎ部材６が設けられるとともに、パネル本体５の下端と床８との間の間隙βを塞ぐ下部塞ぎ部材７が設けられている。これら上部及び下部塞ぎ部材６，７の端部は、間仕切パネル２が移動可能な吊支状態では、間仕切位置への進行方向に向かって突出されている。
【００１６】
上部及び下部塞ぎ部材６，７の端部は、壁面パネル９または先行する間仕切パネル２の側端面に当接して、パネル本体５内に押し込まれることにより、上昇または降下させられて、パネル本体５と天井３及び床８との間の間隙α，βを閉塞するようになっている。
【００１７】
図２に示すように、パネル本体５は、その前後両面がスチール製の表面板１０により覆われているとともに、その内部には、前後両面側に石膏ボードで形成された裏打材１１が配置されている。また、パネル本体５の内部には、左右に金属製の内部フレーム１３，１４が設けられている。
【００１８】
更に、前後両面の裏打材１１の間には、グラスウールで形成された遮音充填材１２が充填されている。パネル本体５内部に遮音充填材１２が充填されていることで、間仕切パネル２によって仕切られた室内空間同士が互いに遮音され、一方の室内空間で発生した音が他方の室内空間に漏れ難いようになっている。
【００１９】
パネル本体５の左右端部には、金属製の側部フレーム１７，１８が設けられている。パネル本体５の進行方向側、すなわち左方側の側部フレーム１７には、凸条部２１が形成されるとともに、右方側の側部フレーム１８には、凹条部２２が形成されている。左方側の側部フレーム１７の凸条部２１は、先行する間仕切パネル２の右方側の側部フレーム１８の凹条部２２に係合されるとともに、右方側の側部フレーム１８の凹条部２２は、後行する間仕切パネル２の左方側の側部フレーム１７の凹条部２２に係合されるようになっている。
【００２０】
図３に示すように、パネル本体５の上部には、その左右２箇所にパネル本体５に対して固定された吊支部材２３が設けられている。間仕切パネル２は両吊支部材２３によって吊支状態にされている。この吊支部材２３は、パネル本体５の左右に設けられており（図４参照）、パネル本体５から垂直方向に延びて、その先端部に２つのローラ２４が水平方向に回転自在に軸支されている。
【００２１】
各ローラ２４は、天井３に設けられたレール４内部に設けられた上下２つの通路２５内を走行可能となっており、レール４によって形成された移動経路が湾曲していたり直角に曲がっていたりしても、その移動経路に沿ってローラ２４が走行し、間仕切パネルを間仕切位置まで移動させることができる。
【００２２】
また、吊支部材２３は、パネル本体５の内部に設けられた、金属製の内部フレーム１５，１６のうち、上部側の内部フレーム１５に固着されている。パネル本体５の上端から上部側の内部フレーム１５の上面まで延設された金属製の上部フレーム１９が設けられている。この上部フレーム１９内には、上方に開口された略コ字形状をなす上部空間部２６が形成されている。更に、パネル本体５の下端から下部側の内部フレーム１６の下面まで延設された金属製の下部フレーム２０が設けられている。この下部フレーム２０内には、下方に開口された略コ字形状をなす下部空間部２７が形成されている。
【００２３】
本実施例では、パネル本体５の上端と、パネル本体５内の上部側の内部フレーム１５の上面と、の間の距離が、パネル本体５の下端と、パネル本体５内の下部側の内部フレーム１６の下面と、の間の距離よりも大きく形成されており、上部空間部２６の上下幅が下部空間部２７の上下幅よりも大きくなっている。また、前述した上部塞ぎ部材６が上部空間部２６内に収納されるとともに、下部塞ぎ部材７が下部空間部２７内に収納されるようになっている。
【００２４】
図４に示すように、間仕切パネル２が移動可能な吊支状態において、上部及び下部塞ぎ部材６，７は、その間仕切位置への進行方向寄りの端部（左端）がパネル本体５の側端（左端）から突き出す状態で、パネル本体５の上部及び下部フレーム１９，２０に対して支持手段２８によって支持されている。
【００２５】
図６（ａ）及び図６（ｂ）に示すように、上部塞ぎ部材６用の支持手段２８と、下部塞ぎ部材７の支持手段２８とは、上下対称をなす同一構成及び同一寸法（同形の部材）の支持手段２８が用いられている。上部及び下部塞ぎ部材６，７には、リンク部材２９の一端が前後方向を向く軸３０をもって枢着されており、このリンク部材２９の他端には、リンク部材２９の長手方向を向く長孔３１が穿設されている。この長孔３１が上部及び下部フレーム１９，２０に設けた前後方向を向くピン３２に遊嵌している。このピン３２と、上部及び下部塞ぎ部材６，７における前記軸３０から若干離れた部分とには、それらが互いに離れるように付勢する付勢手段としての捻りコイルバネ３３の両端末が止着されている。
【００２６】
上部及び下部塞ぎ部材６，７の左端が先行する間仕切パネル２と当接していないときは、リンク部材２９は、図６に実線で示すように左方に向かって傾斜された位置にあり、上部及び下部塞ぎ部材６，７の左端が先行する間仕切パネル２と当接して、図６に矢印で示すように右方側に移動されると、リンク部材２９は、捻りコイルバネ３３の付勢力に抗して、回動させられ、上部塞ぎ部材６を押し上げるとともに、下部塞ぎ部材７を押し下げるように作用する。
【００２７】
上部塞ぎ部材６が天井３に圧接するとともに、下部塞ぎ部材７が床８に圧接すると、それ以降は、上部塞ぎ部材６の上昇が阻止されるとともに、下部塞ぎ部材７の降下が阻止され、リンク部材２９のみが回動し続ける。このときのリンク部材２９の回動は、ピン３２が長孔３１内を相対的に移動することにより許容される。軸３０がピン３２の直上を通過する、すなわち死点を越えるまでリンク部材２９が回動すると、捻りコイルバネ３３の付勢力は、パネル本体５を進行方向に向かって押し付けるように作用し、図５に示すように、間仕切パネル２が間仕切位置で固定される固定状態となる。
【００２８】
尚、上部塞ぎ部材６の上端及び下部塞ぎ部材７の下端には、ゴムパッキン３４が設けられている。このゴムパッキン３４によって上部塞ぎ部材６及び下部塞ぎ部材７が、天井３及び床８に圧接された際に、摩擦抵抗が増大されて間仕切パネル２が確実に間仕切位置にて固定されるようになっている。
【００２９】
図３に示すように、間仕切パネル２におけるパネル本体は、パネル本体５の上端と天井３との間の間隙αよりも、パネル本体５の下端と床８との間の間隙βが広くなるようにレール４に吊支されている。パネル本体５の高さ配置は、吊支状態及び固定状態のいずれの状態であっても変化しないので、間隙α，βは常に一定の上下幅を有している。
【００３０】
間仕切パネル２が移動可能な吊支状態では、下部塞ぎ部材７は、下部塞ぎ部材７の下端がパネル本体５の下端より下方に突出するように下部空間部２７に収納される。また、下部空間部２７に収納された状態では、下部塞ぎ部材７の上端と下部フレーム２０との間に、本実施例における収納許容部としての所定の離間距離Ｓを設けている。そのため下部塞ぎ部材７は下部空間部２７に収納された状態であっても若干上昇できるようになっている。
【００３１】
また、上部塞ぎ部材６及び下部塞ぎ部材７の内部において、吊支部材２３及び支持手段２８が配置された部位以外の部位には、グラスウールで形成された本実施例における遮音部材としての遮音充填材１２ａが充填されている。上部塞ぎ部材６及び下部塞ぎ部材７の内部に遮音充填材１２ａが充填されていることで、間仕切パネル２の固定状態において、パネル本体５の上端と天井３との間の間隙α及びパネル本体５の下端と床８との間の間隙βが、上部塞ぎ部材６及び下部塞ぎ部材７によって閉塞されることで遮音され、一方の室内空間で発生した音が他方の室内空間に漏れ難いようになっている。
【００３２】
更に、前述したパネル本体５内部の遮音充填材１２及び上部塞ぎ部材６及び下部塞ぎ部材７の内部の遮音充填材１２ａは、振動を抑える防振の効果も有しており、間仕切パネル２が固定状態にあるときに、間仕切パネル２の振動を抑えて、間仕切パネル２の遮音性を高めるようにしている。
【００３３】
尚、上部塞ぎ部材６及び下部塞ぎ部材７の内部において、吊支部材２３及び支持手段２８が配置された部位には、遮音充填材１２ａが配置されていないが、遮音充填材１２ａによって上部塞ぎ部材６及び下部塞ぎ部材７が防振されるため、吊支部材２３及び支持手段２８が配置された部位の遮音性も向上するようになる。
【００３４】
更に尚、上部塞ぎ部材６の上端及び下部塞ぎ部材７の下端にゴムパッキン３４が設けられていることで、上部塞ぎ部材６及び下部塞ぎ部材７が防振されて遮音性が向上し、尚且つ、ゴムパッキン３４により上部塞ぎ部材６と天井３との隙間や下部塞ぎ部材７と床８との隙間がなくなるので、音漏れがし難くなる。
【００３５】
図７に示すように、間仕切パネル２が間仕切位置に固定された固定状態では、間仕切パネル２の側縁が壁面パネル９に当接するようになっている。また、間仕切パネル２のパネル本体５の下端と床８との間隙寸法βと、この間仕切パネル２と近接する壁面パネル９の下部框３５（巾木）の上下幅寸法γと、を同一寸法として形成することで、下部塞ぎ部材７によって床８との間隙βを閉塞したときに、間仕切パネル２の下部塞ぎ部材７の露出部位βが、壁面パネル９の下部框３５と一体的に見栄え良く配置されるようになる。
【００３６】
以上、本実施例にける移動間仕切装置１では、各間仕切パネル２におけるパネル本体５を、パネル本体５の上端と天井３との間の間隙αよりもパネル本体５の下端と床８との間の間隙βが広くなるようにレール４に吊支し、間仕切パネル２を固定するときには、上部塞ぎ部材６を上方向に進出させることにより天井３との間隙αを閉塞するとともに、下部塞ぎ部材７を下方向に進出させることにより床８との間隙βを閉塞するようにしたことで、パネル本体５の下端と床８との間隙βが広くなるため、間仕切パネル２を移動させる際に、パネル本体５の下端が作業者の爪先や床８に配置される電気ケーブルなどの障害物等に当たり難くなるばかりか、間仕切パネル２の重量の大部分を占めるパネル本体５の重心位置を上方にずらして配置でき、間仕切パネル２の重心位置が高くなれば、間仕切パネル２がレール４の吊支点、すなわち吊支部材２３の上端側を中心として揺動し始めても、その揺動を直ぐに治められるようになり、作業者が間仕切パネル２をスムーズに移動させることができる。
【００３７】
尚、大きくて重い間仕切パネル２になるほど数センチの重心位置の移動が間仕切パネル２の移動作業に大きな影響を及ぼすようになる。本実施例のように重心位置を上方にずらせば、間仕切パネル２が揺動しても直ぐに治めることができる。そのため間仕切位置において、先行する間仕切パネル２の右方側の側部フレーム１８の凹条部２２に、後行する間仕切パネル２を垂直にさせた状態で、該間仕切パネル２の左方側の側部フレーム１７の凸条部２１を、スムーズに係合させることができる。
【００３８】
また、間仕切パネル２が移動可能な吊支状態で、下部塞ぎ部材７の下端がパネル本体５の下端より下方に突出していることで、作業者の爪先や床８に配置される障害物等が間仕切パネル２に当たるような場合では、爪先や障害物等が最初に下部塞ぎ部材７に当たるようになり、下部塞ぎ部材７によってパネル本体５が保護されてパネル本体５に疵が付き難くなる。
【００３９】
また、上部及び下部塞ぎ部材６，７が、同形の部材を用いて形成されていることで、共通部品を使用して上部及び下部塞ぎ部材６，７を低コストで製作できるとともに、上部及び下部塞ぎ部材６，７の上下幅寸法が同一となり間仕切パネル２の製作を容易に行える。
【００４０】
また、パネル本体５には、間仕切パネル２が移動可能な吊支状態のときに、下部塞ぎ部材７を上昇可能に収納する収納許容部としての所定の離間距離Ｓが設けられていることで、間仕切パネル２の移動時において、作業者の爪先や床に配置される障害物等に下部塞ぎ部材７が当たっても、下部塞ぎ部材７が上昇されて障害物を乗り越えられるばかりか、下部塞ぎ部材７に障害物が当たったときの衝撃力が収納許容部Ｓによって緩衝されるようになり、衝撃力が加わることで生じる間仕切パネル２の揺動が防止される。
【００４１】
また、少なくとも下部塞ぎ部材７には、遮音性を有する遮音充填材１２ａが設けられていることで、パネル本体５の下端と床８との間の間隙βが広くても、その間隙βが下部塞ぎ部材７によって遮音されるようになり、間仕切パネル２によって仕切られた室内空間同士が互いに音漏れし難くなる。
【００４２】
尚、付勢手段としての捻りコイルバネ３３によって下部塞ぎ部材７が支持されているため、下部塞ぎ部材７は、間仕切パネル２の移動時において弾性力を有する状態で、収納許容部Ｓの範囲内で上下昇降可能となっている。
【実施例２】
【００４３】
次に、実施例２に係る移動間仕切装置につき、図８を参照して説明する。尚、前記実施例に示される構成部分と同一構成部分に付いては同一符号を付して重複する説明を省略する。図８は、実施例２における間仕切パネルを示す縦断側面図である。
【００４４】
図８に示すように、実施例２における間仕切パネル２’のパネル本体５の下端と床８との間の間隙β’は、実施例１における間仕切パネル２のパネル本体５の下端と床８との間の間隙βよりも大きくなるように形成されている。
【００４５】
実施例２における間仕切パネル２’が移動可能な吊支状態において、下部塞ぎ部材７’は、下部塞ぎ部材７’の下端がパネル本体５の下端より上方になるように下部空間部２７’に収納される。尚、実施例２における下部塞ぎ部材７’を上下昇降させる際には、実施例１と同様な支持手段２８を用いて上下昇降させてもよいし、従来公知の手動式のロック機構や電動式の昇降装置を設けることで、下部塞ぎ部材７’を上下昇降させるようにしてもよい。
【００４６】
パネル本体５の下端と床８との間の間隙β’を大きく形成するとともに、下部塞ぎ部材７’の全ての部位を、下部空間部２７’内に収納することで、間仕切パネル２’が移動可能な吊支状態において、間仕切パネル２’の重量の大部分を占めるパネル本体５の重心位置を上方に移動させて配置できる。
【００４７】
また、実施例２におけるパネル本体５の内部には、パネル本体５の上下方向の中間部よりも上方側に金属製の重りフレーム３６が設けられている。この重りフレーム３６が配置されることによって、間仕切パネル２’が移動可能な吊支状態において、間仕切パネル２’の重心位置を更に上方に移動させて配置できる。
【００４８】
以上、本発明の実施例を図面により説明してきたが、具体的な構成はこれら実施例に限られるものではなく、本発明の要旨を逸脱しない範囲における変更や追加があっても本発明に含まれる。
【００４９】
例えば、前記実施例では、本発明を作業者が手動にて間仕切パネル２を移動させる手動式の移動間仕切装置１に適用させているが、電気モータ等を用いて電動により間仕切パネル２を移動させる電動式の移動間仕切装置に本発明を適用してもよい。
【図面の簡単な説明】
【００５０】
【図１】実施例１における移動間仕切装置の全体像を示す正面図である。
【図２】間仕切パネルを示す横断平面図である。
【図３】間仕切パネルを示す縦断側面図である。
【図４】吊支状態の間仕切パネルを示す正面図である。
【図５】固定状態の間仕切パネルを示す正面図である。
【図６】（ａ）は、上部塞ぎ部材の支持手段を示す拡大部分正面図であり、（ｂ）は、下部塞ぎ部材の支持手段を示す拡大部分正面図である。
【図７】間仕切パネル及び壁面パネルを示す斜視図である。
【図８】実施例２における間仕切パネルを示す縦断側面図である。
【符号の説明】
【００５１】
１                移動間仕切装置
２，２’          間仕切パネル
３                天井
４                レール
５                パネル本体
６                上部塞ぎ部材
７，７’          下部塞ぎ部材
８                床
１２，１２ａ      遮音充填材（遮音部材）
２３              吊支部材
２８              支持手段
３３              捻りコイルバネ
３５              下部框（巾木）
３６              重りフレーム
【図１】
2009108662.tif 000003
【図２】
2009108662.tif 000004
【図３】
2009108662.tif 000005
【図４】
2009108662.tif 000006
【図５】
2009108662.tif 000007
【図６】
2009108662.tif 000008
【図７】
2009108662.tif 000009
【図８】
2009108662.tif 000010